(57)【要約】【課題】走査速度２０ｍ／ｓ以上かつ基本クロック周期１０ｎｓ以下で、より広い記録条件マージンが得られ、媒体が劣化した場合でもエラーになり難く信頼性の高い光情報記録媒体への記録方法及び該記録方法に適した光情報記録媒体の提供。【解決手段】相変化型光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルス照射パワーをＰ（ｎ２，ｋ）とするとき、Ｐ（ｎ１，ｍ）＞Ｐ（ｎ２，ｍ）とすることを特徴とする光情報記録媒体への記録方法。【選択図】        図６
2005004809.tif 000002
【特許請求の範囲】
【請求項１】
結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルス照射パワーをＰ（ｎ２，ｋ）とするとき、Ｐ（ｎ１，ｍ）＞Ｐ（ｎ２，ｍ）とすることを特徴とする光情報記録媒体への記録方法。
【請求項２】
結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、パルス幅（時間）をＴ（ｎ１，ｋ）とし、長さｎ２Ｔｗのマークを記録するときのｋ番目のパルス照射パワーをＰ（ｎ２，ｋ）、パルス幅（時間）をＴ（ｎ２，ｋ）とするとき、１パルス当りで積分された照射エネルギーを、Ｐ（ｎ１，ｍ）×Ｔ（ｎ１，ｍ）＞Ｐ（ｎ１，ｋ）×Ｔ（ｎ１，ｋ）で且つ、Ｐ（ｎ２，ｍ）×Ｔ（ｎ２，ｍ）＞Ｐ（ｎ２，ｋ）×Ｔ（ｎ２，ｋ）とする（但しｋ≦ｍ−１）ことを特徴とする光情報記録媒体への記録方法。
【請求項３】
時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする請求項１又は２記載の記録方法。
【請求項４】
時間的長さｎ１Ｔｗのマークを記録するときのｍ番目のパルス照射パワーＰ（ｎ１，ｍ）が、下記の関係を満たすことを特徴とする請求項３記載の記録方法。
０＜〔Ｐ（ｎ１，ｍ）−Ｐｗ〕／Ｐｗ≦０．１
【請求項５】
時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする請求項１〜４の何れかに記載の記録方法。
【請求項６】
時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする請求項５記載の記録方法。
【請求項７】
時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする請求項１〜６の何れかに記載の記録方法。
【請求項８】
請求項１〜７の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。
【発明の詳細な説明】
【０００１】
【発明の属する技術分野】
本発明は、ＤＶＤ−ＲＡＭ、ＤＶＤ−ＲＷ、ＤＶＤ＋ＲＷ、ＣＤ−ＲＷに代表されるような、相変化材料を記録材料とし、照射する光の強度変調により記録・再生・消去・書換えが可能な相変化型光情報記録媒体とその記録方法に関するものであり、特に、ＤＶＤ＋ＲＷ、ＣＤ−ＲＷに代表される高速書き換え型光ディスクとその記録方法に関するものである。
【０００２】
【従来技術】
情報のデジタル化・マルチメディア化が急速に進んでいるため、より大容量の情報を高速に記録・再生可能な記録媒体の需要が高まっている。特に、再生専用メモリであるＤＶＤ−ＲＯＭ、ＣＤ−ＲＯＭとの再生互換性を確保しつつ、記録が可能であるＤＶＤ−Ｒ、ＤＶＤ−ＲＷ、ＤＶＤ−ＲＡＭ、ＤＶＤ＋ＲＷ、ＣＤ−Ｒ、ＣＤ−ＲＷに代表される記録型光ディスクはその汎用性から注目されている。中でも相変化材料を記録層材料に用いた相変化型光ディスクは、記録層材料の可逆的な相変化を記録原理とするため、書き換え型の光メモリとしてその用途は多岐に渡ると考えられている。
しかし、記録原理が、記録層材料の急冷によるアモルファス化と徐冷による結晶化であり、時間的要素が大きく関与するため、高速化が困難とされている。
また、記録方法においても、パルス状に変調されたレーザーを記録層に照射及び走査することで行い、その発光周期を基本クロック周期とするため、レーザー発振素子の応答時間の限界により、ＣＤでの２０倍速以上、ＤＶＤの５倍速以上での記録は困難とされていた。
【０００３】
２００２年９月に制定された、２４倍速対応の書き換え型ＣＤであるＵＳ  ＣＤ−ＲＷ（Ｕｌｔｒａ−ｓｐｅｅｄ  Ｃｏｍｐａｃｔ  Ｄｉｓｃ  ＲｅＷｒｉｔａｂｌｅ：通称オレンジブック）の標準規格書には、パルス発光周期を基本クロックの２倍とする記録方法が採用された。
この記録方法によれば、特許文献１に開示されているように、立ち上がり、立下り時間が長く応答性の悪いレーザー駆動装置を用いても、媒体に十分なエネルギーを印加することが出来るため、従来の基本クロック周期を照射パルスの周期とする方法に対して、より低い記録パワーで記録することが可能となる。
しかし、この記録方法では、同一のパルス数で異なる長さの記録マークを形成することが不可欠となり、パルスの位置の最適化や、長さの異なるマーク毎にマルチパルスの照射時間を調整する必要があるため、照射パターンが複雑になってしまう。
前述のオレンジブックに記載された記録ストラテジでは、基本クロック周期Ｔｗに対してマーク長（時間的長さ）がｎＴｗ（ｎは３〜１１の自然数）で表されるとき、ｎＴｗのマークを記録するときの照射パルス数ｍは以下の通りとなる。
ｎ＝３ｍ＝１
ｎ＝偶数のとき、ｍ＝ｎ／２
ｎ＝奇数のとき、ｍ＝（ｎ−１）／２
【０００４】
例を挙げると、６Ｔｗマークと７Ｔｗマークは、マーク長が異なるにも拘らず３個の同数のパルス照射で記録することになる。そのため、ｎが奇数であるマークの最終パルスの立ち上がり位置を遅らせ、かつ、最終パルス幅を長くすることにより解決する必要がある。
６Ｔｗマークを記録するときの照射パターンを図１に示す。
図１（ａ）に示すような６Ｔｗのデータを記録するときは、照射パルスパターンとして、図１（ｂ）に示す通り、長さＴｍｐ、照射パワーＰｗのパルスを２Ｔｗ周期で照射する。更に各パルス間は照射パワーＰｂで照射する。更に最終パルスの後に長さＴｏｆだけ照射パワーＰｂを照射する。上記以外の部分は照射パワーＰｅのＣＷ（Ｃｏｎｔｉｎｕｏｕｓ  Ｗａｖｅ：強度変調のない光）で照射する。
このとき、Ｐｗ＞Ｐｅ＞Ｐｂである必要があり、それぞれ、記録パワー、消去パワー（イレースレベル）、バイアスパワーと呼ばれる。
媒体の記録層は、Ｐ＝Ｐｗの領域で溶融され、Ｐ＝Ｐｂの領域で急冷されることにより、アモルファス状態となる。一方、Ｐ＝ＰｅでＣＷ照射される場合は、記録層が溶融されることはないが、結晶化温度以上に加熱され徐冷されることにより結晶状態となる。その結果、上記のパターンで記録した場合はアモルファスマークを形成することができる。上記のパラメータのうち、Ｔｏｆを最適化することで、記録マーク長を調整することが可能となる。
【０００５】
６Ｔｗマークと同じく３個の照射パルスで記録する７Ｔｗマークについて図２に示す。図２（ａ）に示す長さ７Ｔｗのマークを記録する場合は、図２（ｂ）に示すような照射パターンで記録を行う。このとき、最終パルスの立ち上がり時間を、図１（ｂ）に示す６Ｔｗのパターンに対して、ｄ１だけ遅らせると同時に、最終パルスの幅をｄ１だけ増加させる。また、最終冷却パルスの幅をｄ２だけ長くする。つまり、最終パルスの幅と最終冷却時間を変更することによって、３個のパルスで７Ｔｗの長さのマークを記録することができる。
上記の方法を用いることで、レーザのパルス発光時の立ち上がり時間が１．５ｎｓでも、Ｔｗ＝１０３ＭＨｚになるコンパクトディスクの２４倍速でも記録が可能となった。
【０００６】
しかし、上記の記録方法では、奇数Ｔｗマークを記録するときに、最終パルスを調整して記録するため、偶数Ｔｗマークとのマーク形状に差異が発生してしまう。図３にマーク形状の模式図を示す。
図１（ｂ）のパルス照射パターンで６Ｔｗマークを記録したときのマーク形状の模式図を図３（ａ）に示す。斜線で埋めた部分が結晶中のアモルファスマークに相当する。また、記録に用いるレーザービームは図の左から右に向かって走査している。
図１（ｂ）に示す通り、同一強度、同一長さのパルスを照射しているので、アモルファス化するパルスの位置に依らずほぼ同一となる。その結果、マーク幅Ｗは、ほぼ同一である（Ｗ＝Ｗ１とする）。
これに対して、図２（ｂ）のパルス照射パターンで７Ｔｗマークを記録したときのマーク形状の模式図を図３（ｂ）に示す。最終パルス（３番目のパルス）の照射時間を長くしているために、マークの終端（右側）が大きくなってしまう。即ち、図３（ｂ）中でＷ１＜Ｗ２となる。
このマーク終端部の形状差は、集光した光を照射及び走査しながら記録マークを再生したときに、再生信号の歪みとして観察される。
【０００７】
図４に再生信号のマーク歪みを示す。縦軸は反射率に相当し、横軸は時間に相当するが、走査速度を一定とした場合は空間的な位置に相当する。
図３に示したマークを再生した場合、６Ｔｗマークと７Ｔｗマークとで、再生信号の終端部の形状に差異を生じる。最適な記録条件（適切な記録パワーやｄ１、ｄ２等を最適化した条件）で記録した場合はマークの長さを判定するスライスレベルでの信号長さがＬ６＝６Ｔｗ、Ｌ７＝７Ｔｗ分に相当するため、正しく再生される。一方、記録パワーが最適値からずれた場合には、図５に示す通り、Ｌ６′＝６Ｔｗ−ｄＬ６、Ｌ７′＝７Ｔｗ−ｄＬ７となり、終端部の形状差によりｄＬ６＞ｄＬ７となる。この傾向は全てのｎ＝奇数のマークとｎ＝偶数のマークとの関係について同様である。即ち、記録条件のずれに対して、ｎ＝偶数のマークがｎ＝奇数のマークよりも大きな影響を受けることになる。
【０００８】
上記の現象は、媒体が劣化した場合にも発生する。最適な記録条件で記録され、記録直後は図４に示すような再生波形を示す媒体であっても、高温環境下でアモルファスマークの再結晶化が進行すると、マーク形状の変化により図５に示す様にｎ＝偶数のマークの再生信号がより短くなってしまう。
この現象は、符号化にマーク長−マーク間長変調を用いるＣＤ系、ＤＶＤ系の光ディスクにとって致命的な問題となる。全ての記録マークの再生信号が同様に歪む場合は、各マークの再生長さの差は、ほぼ１Ｔｗのままとなるため、スライスレベルを調整すれば、正しく再生することが可能である。しかし、ｎ＝偶数とｎ＝奇数とで歪みが異なる場合は、スライスレベルの調整では対応できなくなってしまう。
即ち、従来の記録方法では、記録条件のマージンが狭いと同時に、媒体が（アモルファスマークの結晶化により）劣化した場合に不具合をより発生し易いという課題があった。
【０００９】
上記の他に、特許文献２には、マーク長さｎＴをｍ個のパルスで記録する技術（ｎ／ｍ≧１．２５）が開示されており、実施例にパルスの周期を基本クロックの約２倍とする記述があり、また最終パルスでマーク長を補正する記述がある。しかし、本発明のような偶数Ｔｗマークの最終パルスのパワーを変更することに関しては記載も示唆もされていない。
また、特許文献３には、記録に用いるパルスの周期を基本クロックの約２倍とし、最終冷却パルスの終端をステップ状にし、更にレベルを調整することでマーク長を調整する発明が開示されており、本発明と発想は似ているが、加熱パルスのレベルを変更する記述はない。
【００１０】
【特許文献１】
特開平９−１３４２５号公報
【特許文献２】
特開２００１−３３１９３６号公報
【特許文献３】
特開２００２−３３４４３３号公報
【００１１】
【発明の解決しようとする課題】
本発明は、走査速度２０ｍ／ｓ以上かつ基本クロック周期１０ｎｓ以下で、より広い記録条件マージンが得られ、媒体が劣化した場合でもエラーになり難く信頼性の高い光情報記録媒体への記録方法及び該記録方法に適した光情報記録媒体の提供を目的とする。
【００１２】
【課題を解決するための手段】
上記課題は、次の１）〜８）の発明（以下、本発明１〜８という）によって解決される。
１）  結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルス照射パワーをＰ（ｎ２，ｋ）とするとき、Ｐ（ｎ１，ｍ）＞Ｐ（ｎ２，ｍ）とすることを特徴とする光情報記録媒体への記録方法。
２）  結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、パルス幅（時間）をＴ（ｎ１，ｋ）とし、長さｎ２Ｔｗのマークを記録するときのｋ番目のパルス照射パワーをＰ（ｎ２，ｋ）、パルス幅（時間）をＴ（ｎ２，ｋ）とするとき、１パルス当りで積分された照射エネルギーを、
Ｐ（ｎ１，ｍ）×Ｔ（ｎ１，ｍ）＞Ｐ（ｎ１，ｋ）×Ｔ（ｎ１，ｋ）で且つ、Ｐ（ｎ２，ｍ）×Ｔ（ｎ２，ｍ）＞Ｐ（ｎ２，ｋ）×Ｔ（ｎ２，ｋ）とする（但しｋ≦ｍ−１）ことを特徴とする光情報記録媒体への記録方法。
３）  時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする１）又は２）記載の記録方法。
４）  時間的長さｎ１Ｔｗのマークを記録するときのｍ番目のパルス照射パワーＰ（ｎ１，ｍ）が、下記の関係を満たすことを特徴とする３）記載の記録方法。
０＜〔Ｐ（ｎ１，ｍ）−Ｐｗ〕／Ｐｗ≦０．１
５）  時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする１）〜４）の何れかに記載の記録方法。
６）  時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする５）記載の記録方法。
７）  時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする１）〜６）の何れかに記載の記録方法。
８）  １）〜７）の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。
【００１３】
以下、上記本発明について詳しく説明する。
本発明の記録方法の対象となる光情報記録媒体は、一般に相変化型と呼ばれる媒体である。相変化型光情報記録媒体の例としては、ＤＶＤ−ＲＡＭ、ＤＶＤ−ＲＷ、ＤＶＤ＋ＲＷ、ＣＤ−ＲＷ、Ｂｌｕ−ｒａｙ  Ｄｉｓｃなどの相変化型光ディスクが挙げられる。
光情報記録媒体は、記録層材料として結晶相−アモルファス相間で可逆的に変化（転移）する物質を用いることにより書換え可能としている。つまり、結晶相の記録層中にアモルファスのマークを形成することにより情報を記録し、アモルファスマークを結晶化させることにより消去を行う。逆に、アモルファス状態の記録層中に結晶化マークを形成しても良い。マークの消去と形成が照射・走査する光の強度変調のみで行えるため、１回の走査で情報の書換えが可能となり、ＤＯＷ（ダイレクトオーバーライト）が可能である。
【００１４】
また、本発明では、情報の符号化にマーク長−マーク間長変調方式を用いる。この方式はパルス幅変調の一種であり、基本クロック周期Ｔｗの自然数倍の（時間的）長さのマーク・マーク間を記録層中に形成することで情報の記録を行う。つまり、有限の自然数ｎを用いると、マーク・マーク間の長さはｎＴｗで表される。このような変調方式の例としては、ＣＤで用いられるＥＦＭ（８−１４変調、ｎ＝３〜１１）、ＤＶＤで用いられるＥＦＭ＋（８−１６変調の１種、ｎ＝３〜１１、１４）が挙げられる。
【００１５】
本発明の記録方法では、マーク形成時の光の照射パターンを規定する。
本発明の記録方法の照射パターンの一例を図６に示す。
図６（ａ）はｎ＝６の場合の、記録するデータである。ｄａｔａ＝１がマークに相当する。ここで、Ｔｗは記録時の基本クロック周期であり、媒体の密度や走査速度に合わせて最適な値が設定される。本発明の記録方法は高速記録の場合に有効であるため、Ｔｗは１０ｎｓ以下が好ましい。基本クロック周期の例としては、ＤＶＤの４倍速で９．６ｎｓ、８倍速で４．８ｎｓであり、ＣＤの２４倍速で９．７ｎｓ、３２倍速で７．２ｎｓである。
ｎＴｗのマークを形成するためのパルス数ｍは任意に設定できるが、１≦ｎ／ｍ≦４の範囲が好ましく、更に好ましくは２．２≦ｎ／ｍ≦３である。
【００１６】
２４倍速対応のＣＤ−ＲＷを例に挙げると、次の通りであり、２．２≦ｎ／ｍ≦３である。
ｎ＝３，  ｍ＝１  ：  ｎ／ｍ＝３
ｎ＝４，  ｍ＝２  ：  ｎ／ｍ＝２
ｎ＝５，  ｍ＝２  ：  ｎ／ｍ＝２．５
ｎ＝６，  ｍ＝３  ：  ｎ／ｍ＝２
ｎ＝７，  ｍ＝３  ：  ｎ／ｍ＝２．３３
ｎ＝８，  ｍ＝４  ：  ｎ／ｍ＝２
ｎ＝９，  ｍ＝４  ：  ｎ／ｍ＝２．２５
ｎ＝１０，ｍ＝５  ：  ｎ／ｍ＝２
ｎ＝１１，ｍ＝５  ：  ｎ／ｍ＝２．２
【００１７】
更に、同じパルス数で異なる長さのマークを形成する必要がある。つまり同じｍ個のパルスで長さｎ１Ｔｗと長さｎ２Ｔｗのマークを形成する必要がある。
前述のＣＤ−ＲＷの場合では、ｍ個のパルスでｎ１＝２ｍ，ｎ２＝２ｍ＋１であり、ｎ１≠ｎ２である。
ｎ１＜ｎ２とした場合に、長さｎ１Ｔｗのマークを形成するためにｍ個のパルスを用いる場合、ｋ番目（１≦ｋ≦ｍ）のパルスの照射パワーをＰ（ｎ１，ｋ）と表し、パルスの幅をＴ（ｎ１，ｋ）と表す。同様に長さｎ２Ｔｗのマークを形成するためにｍ個のパルスを用いる場合、ｋ番目（１≦ｋ≦ｍ）のパルスの照射パワーをＰ（ｎ２，ｋ）と表し、パルスの幅をＴ（ｎ２，ｋ）と表す（図１５参照）。
このとき、ｎ＝ｎ１の場合の最終パルス、即ちｍ番目のパルスの照射パワーＰ（ｎ１，ｍ）と、ｎ＝ｎ２の場合の最終パルス、即ちｍ番目のパルスの照射パワーＰ（ｎ２，ｍ）の間に、本発明１に係る次の関係が成り立たなくてはならない。
Ｐ（ｎ１，ｍ）＞Ｐ（ｎ２，ｍ）
更に、次の関係を満足することが好ましい。
１＜Ｐ（ｎ１，ｍ）／Ｐ（ｎ２，ｍ）≦１．１
つまり、同数のパルスｍで記録するマークのうち、より短いマークについて、最終パルスの照射パワーを高めに設定することにより、記録マークの終端部形状を補正することができる。
【００１８】
図６にｎ＝ｎ１＝６，ｎ＝ｎ２＝７，ｍ＝３の例を示す。
７Ｔｗマークの形成には図６（ｄ）に示す通り、従来と同様の〔図２（ｂ）と同様の〕照射パルスの設定をする。即ちＰ（７，ｋ）＝Ｐｗとする（ｋ＝１，２，３）。これに対して６Ｔｗマークの形成には図６（ｂ）に示す通り、Ｐ（６，１）＝Ｐ（６，２）＝Ｐｗとし、最終パルスの照射パワーＰ（６，３）＝Ｐｗ＋ｄＰとしｄＰだけ高くする必要がある。
これらのパターンで記録したマークの模式図を図７に示す。
図７（ａ）に示す通り、マーク終端部の幅Ｗ２が他の部分の幅Ｗ１より大きくなっており、図３（ａ）と比較すると、図７（ｂ）に示す７Ｔｗマークの形状に近くなっている。
従って、再生信号も、図８に示す通り終端部の形状差（歪みの差）による影響が少なくなる。これにより、記録パワーが最適値からずれた場合や、媒体のマークの再結晶化により記録マークが小さくなった場合でも、図９に示す通りマーク終端の形状差の影響を受けづらく（図５と比較して）、より広い記録条件のマージンが確保でき、媒体が劣化した場合でも高い信頼性を確保することが可能となる。
【００１９】
上記の例では、ｍ個のパルスでｎ＝２ｍとｎ＝２ｍ＋１の長さの異なるマークを記録する場合について述べたが、本発明はｎ１＜ｎ２が成立するあらゆる組み合わせについて有効である。つまり、ｍ個のパルスでｎ＝３ｍ、ｎ＝３ｍ＋１、ｎ＝３ｍ＋２の長さのマークを記録する場合は、次の関係が成立していれば良い。
Ｐ（３ｍ，ｍ）＞Ｐ（３ｍ＋１，ｍ）＞Ｐ（３ｍ＋２，ｍ）
更に、Ｐ（ｎ１，ｍ）−Ｐｗ＝ｄＰとして、以下の関係が成り立つことが好ましい。
Ｐ（３ｍ，ｋ）＝Ｐ（３ｍ＋１，ｋ）＝Ｐ（３ｍ＋２，ｋ）＝Ｐｗ
（但し、ｋ＝１……ｍ−１）
Ｐ（３ｍ，ｍ）＝Ｐ（３ｍ＋１，ｍ）＋ｄＰ（ｄＰ＞０）
Ｐ（３ｍ＋１，ｍ）＝Ｐ（３ｍ＋２，ｍ）＋ｄＰ（ｄＰ＞０）
更には、０＜ｄＰ／Ｐｗ≦０．１であることが好ましい。
【００２０】
また、前述した本発明１によれば、Ｐ（ｎ１，ｍ）＞Ｐ（ｎ２，ｍ）という要件を満たすことにより、同一パルスで異なるマークを記録するときに、短いマークの最終パルスの照射パワーを上げることにより、マーク終端部の形状を容易に揃えることが出来るので、記録パワーマージンが広くなり、媒体が劣化した場合でも記録への影響を少なくできる。
また、上記本発明１の要件とは別に、本発明２に係る下記のような要件を満たすようにしても、所期の目的を達成することができる。即ち、最終パルスの照射エネルギー（パワー×照射時間）を高めることでマーク形状を制御しても良い。Ｐ（ｎ１，ｍ）×Ｔ（ｎ１，ｍ）＞Ｐ（ｎ１，ｋ）×Ｔ（ｎ１，ｋ）で且つ、
Ｐ（ｎ２，ｍ）×Ｔ（ｎ２，ｍ）＞Ｐ（ｎ２，ｋ）×Ｔ（ｎ２，ｋ）
（但し、ｋ≦ｍ−１）
【００２１】
更に、本発明３のように、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすれば、マーク長に影響を与えづらいパルスの照射パワーを同一にできるので、本発明１又は２の効果を容易に得ることができる。
更に、本発明４のように、０＜〔Ｐ（ｎ１，ｍ）−Ｐｗ〕／Ｐｗ≦０．１とすれば、最終パルスの照射パワーを最適化できるので、より高いオーバーライト性能を得ることができる。
更に、本発明５〜６のように、Ｔ（ｎ１，ｍ）＜Ｔ（ｎ２，ｍ）とするか、又は、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすれば、マーク長を容易に調整できるので好ましい。
更に、本発明７のように、ＵＳ  ＣＤ−ＲＷ標準の２Ｔストラテジのパターンを微調整することにより、本発明１又は２の効果を容易に得ることができる。
【００２２】
また、本発明８のように、媒体毎に最適化された固有のｄＰを一義的に決定することができる情報を媒体にプリフォーマットしておくことで、記録装置が最適なｄＰを設定できるようにすることもできる。プリフォーマットしておく情報はｄＰを一義的に決定できるパラメータなら任意のものを設定できるが、規格化した値であるｄＰ／Ｐｗを情報としてプリフォーマットしておくことが好ましい。プリフォーマットの方法は任意のものを用いることができる。例としては、通常の情報として記録してもよく、ＤＶＤ＋ＲＷにおけるＰｈｙｓｉｃａｌ  Ｉｎｆｏｍａｔｉｏｎ（フィジカル・インフォメーション）におけるＡＤＩＰ（Ａｄｄｒｅｓｓ  Ｉｎ  Ｐｒｅｇｒｏｏｖｅ＝アドレス・イン・プレグルーブ）にプリフォーマットする方法を用いてもよく、ＣＤ−ＲＷのＡＴＩＰ  Ｅｘｔｒａ  Ｉｎｆｏｒｍａｔｉｏｎ（エクストラ・インフォメーション）の様にＡＴＩＰ（Ａｂｓｏｌｕｔｅ  Ｔｉｍｅ  Ｉｎ  Ｐｒｅｇｒｏｏｖｅ＝アブソリュート・タイム・イン・プレグルーブ）にプリフォーマットしても良い。
これらの媒体に対応する記録装置は、これらのプリフォーマット情報から最適なｄＰを設定できるので、最適な記録条件を設定でき、高い記録信頼性を得ることが可能となる。
【００２３】
【実施例】
以下、実施例により本発明を更に具体的に説明するが、本発明はこれらの実施例により限定されるものではない。
【００２４】
実施例１
パルステック製光ディスク評価装置ＤＤＵ１０００を用いて記録評価を行った。フォーカスサーボ特性、トラッキングサーボ特性等はＣＤ−ＲＷ評価用に設定されたものを用いた。情報の記録・再生に用いる光ピックアップの仕様は以下の通りとした。
波長：７８０ｎｍ
開口数（ＮＡ）：０．５０
この装置は３系統の発光波形入力系統があり、スイッチング素子に接続されている。各スイッチング素子にパルス入力があると、それぞれのＬＤが各入力毎に設定された強度（パワー）で発振する。
今、パルス信号１がＨｉｇｈ（Ｈ）のときにＰ＝Ｐｗ、パルス信号２がＨのときにＰ＝Ｐｗ＋ｄＰ、パルス信号３がＨのときにＰ＝Ｐｅで発振するように接続した（図１０参照）。また、全てのパルス信号がＬｏｗのときはＰ＝Ｐｂとなるように設定した。
図１１に、入力するパルス信号のタイムチャートを示す。
図１１（ａ）が記録するべきデータであり、Ｈの時にマークに相当する。図を簡単にするために６Ｔｗマーク、７Ｔｗマーク、３Ｔｗスペース（マーク間）の構成となっているが、実際にはランダムデータをＥＦＭ変調したパターンを用意した。また、記録に用いる照射パターンはオレンジブックに記載される２Ｔストラテジに準拠したものを採用した。但し、以下の手法を用いて、ｎ＝偶数の最終パルスのみ異なる照射パワーを設定できるようにした。
図１１（ｂ）〜（ｄ）は照射パターンをパワーレベルごとに分解したものである。図１１（ｂ）に示す通りＰ＝Ｐｗの照射パターンをパルス信号１に設定した。即ち、ｎ＝偶数の最終パルス以外の照射パルスをパルス信号１に割り当てた。同様に、図１１（ｃ）に示す通り、Ｐ＝Ｐｗ＋ｄＰとなるｎ＝偶数の最終パルスをパルス信号２に設定し、図１１（ｄ）に示す通り、Ｐ＝Ｐｅとなるマーク間をパルス信号３に設定した。
上記の３系統のパルス信号を、評価装置ＤＤＵ１０００に入力したときの発光波形を図１１（ｅ）に示す。また、この発光波形で記録されるマークの模式図を図１１（ｆ）に示した。
パルス発生用の信号発生機にはテクトロニクス製ＡＷＧ６１０を用いた。ＡＷＧ６１０の基本クロックをＴｗ／８に設定し、パルスの各エッジをＴｗ／１２の単位で微調整できるように設定した。また、各パルスの照射時間はオレンジブックに準拠して設定した。
この記録条件でオレンジブックに準拠したＵＳ  ＣＤ−ＲＷディスクにＣＤの２４倍速相当で記録を行った。記録条件は以下の通りに設定した。
走査速度＝２８．８ｍ／ｓ
基本クロック周期Ｔｗ＝９．６６ｎｓ
記録パワーＰｗ＝３４〜４５ｍＷ
ｄＰ／Ｐｗ＝０〜０．２
Ｐｅ／Ｐｗ＝０．２５
記録したディスクを以下の条件で再生し、３Ｔジッタを測定して、記録パワーＰｗ、ｄＰに対する依存性を調べた。ジッタの測定はＣＤの１倍速、即ち、走査１．２ｍ／ｓで行った。ジッタの測定結果を図１２に示す。ｄＰ／Ｐｗ＝０に対して、ｄＰ／Ｐｗ＞０とする方が、低パワー側のジッタが低く抑えられていることが分る。
また、ダイレクトオーバーライト（ＤＯＷ）を１０回行ったときのジッタを、図１３に示す。図１２と同様に低いパワーでのジッタが低下しているのが分る。一方、ｄＰ／Ｐｗ＞０．１となると、高いパワーでジッタが上がっているのが分る。従ってｄＰ／Ｐｗ≦０．１の方がより特性を改善できる。
これは、ｎ＝偶数の最終パルスの照射パワーを高く設定することでマーク長さの記録パワーＰｗ依存性を低く抑えることができるため、マーク間のばらつきを抑えられたことに起因する。
【００２５】
実施例２
実施例１と同様にして記録を行った。但し、記録パワーは４０ｍＷとし、記録回数は１回とした。
記録したディスクを８０℃、８５％ＲＨの環境下に１００時間投入した後に、記録部を再生し、ジッタの劣化のｄＰ／Ｐｗ依存性を調べた。結果を次に示す。
ｄＰ／Ｐｗ＝０．００：  ３Ｔランドジッタ＝３４．９ｎｓ
ｄＰ／Ｐｗ＝０．０５：  ３Ｔランドジッタ＝３０．５ｎｓ
ｄＰ／Ｐｗ＝０．１０：  ３Ｔランドジッタ＝２８．５ｎｓ
ｄＰ／Ｐｗ＝０．１５：  ３Ｔランドジッタ＝２４．２ｎｓ
上記の結果から、ｄＰ／Ｐｗを高くすることで、高い保存信頼性を確保できることが確認された。
【００２６】
実施例３
１−４Ｘ  ＤＶＤ＋ＲＷディスクを用いて実施例１と同様の評価を実施した。但し、評価装置ＤＤＵ１０００は、ＤＶＤ＋ＲＷ記録評価用に最適化したものを用いた。光ピックアップの仕様は以下のものを用いた。
波長＝６５０ｎｍ
対物レンズ開口数（ＮＡ）＝０．６５
記録パワー：２０〜２７ｍＷ
ｄＰ／Ｐｗ：０．００〜０．１５
Ｐｅ／Ｐｗ：０．３
記録字の走査速度はＤＶＤの６倍速に相当する２０．９ｍ／ｓとし、基本クロック周期Ｔｗを６．４ｎｓに設定した。パルス信号の作成等は実施例１と同様に行った。但し、符号化にはＥＦＭ＋を用いた。
ジッタの測定結果を図１４に示す。横軸は、最終パルス以外のパルスのパワーＰｗであり、各曲線は最終パルスのパワー増加量を変えたときにジッタのパワー依存性がどのように変化するかを表す。また、ｄＰ／Ｐｗ＝０．００〜０．１５は、最終パルスのパワー増加量の割合を表し、例えばＰｗが２０ｍＷで、ｄＰ／Ｐｗ＝０．１０の場合、最終パルスのパワーは２２ｍＷということになる。
図１４の、ｄＰ／Ｐｗ＝０の曲線とｄＰ／Ｐｗ＝０．１５の曲線を比べると、Ｐｗ＝２０ｍＷでのジッタがそれぞれ１１．５％と９％であり、Ｐｗ＝２０ｍＷの低いパワーで記録を行った場合は、最終パルスのパワーを１５％上げた方が約２．５％ジッタを改善できることが分る。
即ち、図１４の結果から、最終パルスのパワーを上げることにより、Ｐｗが低い領域でジッタを下げることができることが確認された。
【００２７】
【発明の効果】
本発明によれば、走査速度２０ｍ／ｓ以上かつ基本クロック周期１０ｎｓ以下で、より広い記録条件マージンが得られ、媒体が劣化した場合でもエラーになり難く信頼性の高い光情報記録媒体への記録方法及び該記録方法に適した光情報記録媒体を提供できる。
本発明８によれば、本発明の記録方法の重要なパラメータを媒体に予め記録してあるため、記録装置に最適な記録条件を設定することが可能となる。
【図面の簡単な説明】
【図１】６Ｔｗマークを記録するときの照射パターンを示す図。
（ａ）  データ
（ｂ）  記録発光波形
【図２】７Ｔｗマークを記録するときの照射パターンを示す図。
（ａ）  データ
（ｂ）  記録発光波形
【図３】マーク形状の模式図。
（ａ）  図１（ｂ）に示すパルス照射パターンで６Ｔｗマークを記録したときのマーク形状の模式図
（ｂ）  図２（ｂ）に示すパルス照射パターンで７Ｔｗマークを記録したときのマーク形状の模式図
【図４】マーク終端部の形状差による再生信号のマーク歪みを示す図。
【図５】記録パワーが最適値からずれた場合などの、マーク終端部の形状差による再生信号のマーク歪みを示す図。
【図６】本発明の記録方法の照射パターンの一例を示す図。
（ａ）  データ
（ｂ）  記録発光波形
（ｃ）  データ
（ｄ）  記録発光波形
【図７】図６のパターンで記録したマークの模式図。
（ａ）  図６（ｂ）に示すパルス照射パターンで６Ｔｗマークを記録したときのマーク形状の模式図
（ｂ）  図６（ｄ）に示すパルス照射パターンで７Ｔｗマークを記録したときのマーク形状の模式図
【図８】マーク終端部の形状差による再生信号のマーク歪みを示す図。
【図９】記録パワーが最適値からずれた場合などの、マーク終端部の形状差による再生信号のマーク歪みを示す図。
【図１０】光ディスク評価装置の３系統の発光波形入力系統の接続状態を示す図。
【図１１】入力するパルス信号のタイムチャートを示す図。
（ａ）  記録するべきデータ
（ｂ）  Ｐ＝Ｐｗの照射パターンに該当する信号
（ｃ）  Ｐ＝Ｐｗ＋ｄＰとなるｎ＝偶数の最終パルスに該当する信号
（ｄ）  Ｐ＝Ｐｅとなるマーク間に該当する信号
（ｅ）  ３系統のパルス信号を、評価装置ＤＤＵ１０００に入力したときの発光波形を示す図。
（ｆ）  （ｅ）の発光波形で記録されるマークの模式図。
【図１２】実施例１のジッタの測定結果を示す図。
【図１３】ダイレクトオーバーライト（ＤＯＷ）を１０回行ったときのジッタを示す図。
【図１４】実施例３のジッタの測定結果を示す図。
【図１５】本発明の記録方法の照射パターンの一例を示す図（各パルスの幅を独立に設定する場合）。
（ａ）  データ
（ｂ）  ７Ｔマークの照射パターン例
【符号の説明】
Ｔｗ  基本クロック周期
Ｔｍｐ  記録パワーを照射するパルスの長さ
Ｔｏｆ  最終パルスの後に照射パワーＰｂを照射する長さ
Ｐｗ  記録パワー
Ｐｅ  消去パワー
Ｐｂ  バイアスパワー
ｄ１  最終パルスの立ち上がり時間を遅らせる長さ、又は、最終パルスの幅を増加させる長さ
ｄ２  最終冷却パルスを長くした幅
Ｗ  マーク幅
Ｗ１  マーク幅
Ｗ２  マーク終端部の幅
Ｒｔｏｐ  スペース部（マーク間）の反射率
Ｒｂｏｔ  マーク部の反射率
Ｌ６  最適な記録条件で記録した場合のマークの長さを判定するスライスレベルでの信号長さ
Ｌ７  最適な記録条件で記録した場合のマークの長さを判定するスライスレベルでの信号長さ
Ｌ６′  記録パワーが最適値からずれた場合のマークの長さを判定するスライスレベルでの信号長さ
Ｌ７′  記録パワーが最適値からずれた場合のマークの長さを判定するスライスレベルでの信号長さ
ｄＬ６  記録パワーが最適値からずれた場合のＬ６のずれ量
ｄＬ７  記録パワーが最適値からずれた場合のＬ７のずれ量
ｄＰ  最終パルスの照射パワーと他のパルスの照射パワーの差
ＬＤ  レーザダイオード
【図１】
2005004809.tif 000003
【図２】
2005004809.tif 000004
【図３】
2005004809.tif 000005
【図４】
2005004809.tif 000006
【図５】
2005004809.tif 000007
【図６】
2005004809.tif 000008
【図７】
2005004809.tif 000009
【図８】
2005004809.tif 000010
【図９】
2005004809.tif 000011
【図１０】
2005004809.tif 000012
【図１１】
2005004809.tif 000013
【図１２】
2005004809.tif 000014
【図１３】
2005004809.tif 000015
【図１４】
2005004809.tif 000016
【図１５】
2005004809.tif 000017
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルスの照射パワーをＰ（ｎ２，ｋ）とするとき、Ｐ（ｎ１，ｍ）＞Ｐ（ｎ２，ｍ）とすることを特徴とする光情報記録媒体への記録方法。
【請求項２】
長さｎ１Ｔｗのマークを記録するときのｋ番目（１≦ｋ≦ｍ）のパルスのパルス幅（時間）をＴ（ｎ１，ｋ）、長さｎ２Ｔｗのマークを記録するときのｋ番目のパルスのパルス幅（時間）をＴ（ｎ２，ｋ）とするとき、１パルス当りで積分された照射エネルギーを、
Ｐ（ｎ１，ｍ）×Ｔ（ｎ１，ｍ）＞Ｐ（ｎ１，ｋ）×Ｔ（ｎ１，ｋ）で且つ、
Ｐ（ｎ２，ｍ）×Ｔ（ｎ２，ｍ）＞Ｐ（ｎ２，ｋ）×Ｔ（ｎ２，ｋ）
とする（但し、ｋ≦ｍ−１）ことを特徴とする請求項１記載の光情報記録媒体への記録方法。
【請求項３】
時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする請求項１又は２記載の記録方法。
【請求項４】
時間的長さｎ１Ｔｗのマークを記録するときのｍ番目のパルス照射パワーＰ（ｎ１，ｍ）が、下記の関係を満たすことを特徴とする請求項３記載の記録方法。
０＜〔Ｐ（ｎ１，ｍ）−Ｐｗ〕／Ｐｗ≦０．１
【請求項５】
時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする請求項１〜４の何れかに記載の記録方法。
【請求項６】
時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする請求項５記載の記録方法。
【請求項７】
時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする請求項３〜６の何れかに記載の記録方法。
【請求項８】
請求項１〜７の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。
【手続補正２】
【補正対象書類名】明細書
【補正対象項目名】００１０
【補正方法】変更
【補正の内容】
【００１０】
【特許文献１】
特開平９−１３４５２５号公報
【特許文献２】
特開２００１−３３１９３６号公報
【特許文献３】
特開２００２−３３４４３３号公報


【手続補正３】
【補正対象書類名】明細書
【補正対象項目名】００１２
【補正方法】変更
【補正の内容】
【００１２】
【課題を解決するための手段】
上記課題は、次の１）〜８）の発明（以下、本発明１〜８という）によって解決される。
１）  結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録し、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルスの照射パワーをＰ（ｎ２，ｋ）とするとき、Ｐ（ｎ１，ｍ）＞Ｐ（ｎ２，ｍ）とすることを特徴とする光情報記録媒体への記録方法。
２）  長さｎ１Ｔｗのマークを記録するときのｋ番目（１≦ｋ≦ｍ）のパルスのパルス幅（時間）をＴ（ｎ１，ｋ）、長さｎ２Ｔｗのマークを記録するときのｋ番目のパルスのパルス幅（時間）をＴ（ｎ２，ｋ）とするとき、１パルス当りで積分された照射エネルギーを、
Ｐ（ｎ１，ｍ）×Ｔ（ｎ１，ｍ）＞Ｐ（ｎ１，ｋ）×Ｔ（ｎ１，ｋ）で且つ、
Ｐ（ｎ２，ｍ）×Ｔ（ｎ２，ｍ）＞Ｐ（ｎ２，ｋ）×Ｔ（ｎ２，ｋ）
とする（但しｋ≦ｍ−１）ことを特徴とする請求項１記載の光情報記録媒体への記録方法。
３）  時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする１）又は２）記載の記録方法。
４）  時間的長さｎ１Ｔｗのマークを記録するときのｍ番目のパルス照射パワーＰ（ｎ１，ｍ）が、下記の関係を満たすことを特徴とする３）記載の記録方法。
０＜〔Ｐ（ｎ１，ｍ）−Ｐｗ〕／Ｐｗ≦０．１
５）  時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする１）〜４）の何れかに記載の記録方法。
６）  時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする５）記載の記録方法。
７）  時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする３）〜６）の何れかに記載の記録方法。
８）  １）〜７）の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。




【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録するに際し、長さｎ２Ｔｗのマークを記録するときの（ｍ−１）番目のパルスとｍ番目のパルスの立ち上がり周期を、長さｎ１Ｔｗのマークを記録するときの（ｍ−１）番目のパルスとｍ番目のパルスの立ち上がり周期よりも長くし、長さｎ２Ｔｗのマークを記録するときのｍ番目のパルスの幅を、長さｎ１Ｔｗのマークを記録するときのｍ番目のパルスの幅よりも広くし、長さｎ２Ｔｗのマークを記録するときのｍ番目のパルスに続く冷却パルスの幅を、長さｎ１Ｔｗのマークを記録するときのｍ番目のパルスに続く冷却パルスの幅よりも広くし、かつ、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルスの照射パワーをＰ（ｎ２，ｋ）とするとき、Ｐ（ｎ１，ｍ）＞Ｐ（ｎ２，ｍ）とすることを特徴とする光情報記録媒体への記録方法。
【請求項２】
長さｎ１Ｔｗのマークを記録するときのｋ番目（１≦ｋ≦ｍ）のパルスのパルス幅（時間）をＴ（ｎ１，ｋ）、長さｎ２Ｔｗのマークを記録するときのｋ番目のパルスのパルス幅（時間）をＴ（ｎ２，ｋ）とするとき、１パルス当りで積分された照射エネルギーを、
Ｐ（ｎ１，ｍ）×Ｔ（ｎ１，ｍ）＞Ｐ（ｎ１，ｋ）×Ｔ（ｎ１，ｋ）で且つ、
Ｐ（ｎ２，ｍ）×Ｔ（ｎ２，ｍ）＞Ｐ（ｎ２，ｋ）×Ｔ（ｎ２，ｋ）
とする（但し、ｋ≦ｍ−１）ことを特徴とする請求項１記載の光情報記録媒体への記録方法。
【請求項３】
時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする請求項１又は２記載の記録方法。
【請求項４】
時間的長さｎ１Ｔｗのマークを記録するときのｍ番目のパルス照射パワーＰ（ｎ１，ｍ）が、下記の関係を満たすことを特徴とする請求項３記載の記録方法。
０＜〔Ｐ（ｎ１，ｍ）−Ｐｗ〕／Ｐｗ≦０．１
【請求項５】
時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする請求項１〜４の何れかに記載の記録方法。
【請求項６】
時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする請求項５記載の記録方法。
【請求項７】
時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする請求項３〜６の何れかに記載の記録方法。
【請求項８】
請求項１〜７の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。
【手続補正２】
【補正対象書類名】明細書
【補正対象項目名】００１２
【補正方法】変更
【補正の内容】
【００１２】
【課題を解決するための手段】
上記課題は、次の１）〜８）の発明（以下、本発明１〜８という）によって解決される。
１）  結晶相とアモルファス相の間で可逆的に相変化する記録層に、記録層近傍に集光させたレーザー光を照射及び走査することにより情報の記録・再生・消去・書換えを行う光情報記録媒体に対し、パルス状に強度変調された光を照射及び走査し、少なくとも２種類の異なる時間的長さｎ１Ｔｗ，ｎ２Ｔｗのマーク（Ｔｗは記録時の基本クロック周期、ｎ１，ｎ２は、ｎ１＜ｎ２を満たす自然数）を、ｍ個（ｍは２以上の自然数）の照射パルス数で記録するに際し、長さｎ２Ｔｗのマークを記録するときの（ｍ−１）番目のパルスとｍ番目のパルスの立ち上がり周期を、長さｎ１Ｔｗのマークを記録するときの（ｍ−１）番目のパルスとｍ番目のパルスの立ち上がり周期よりも長くし、長さｎ２Ｔｗのマークを記録するときのｍ番目のパルスの幅を、長さｎ１Ｔｗのマークを記録するときのｍ番目のパルスの幅よりも広くし、長さｎ２Ｔｗのマークを記録するときのｍ番目のパルスに続く冷却パルスの幅を、長さｎ１Ｔｗのマークを記録するときのｍ番目のパルスに続く冷却パルスの幅よりも広くし、かつ、長さｎ１Ｔｗのマークを記録するときのｋ番目（１≦ｋ≦ｍ）のパルスの照射パワーをＰ（ｎ１，ｋ）、長さｎ２Ｔｗのマークを記録するときのｋ番目のパルスの照射パワーをＰ（ｎ２，ｋ）とするとき、Ｐ（ｎ１，ｍ）＞Ｐ（ｎ２，ｍ）とすることを特徴とする光情報記録媒体への記録方法。
２）  長さｎ１Ｔｗのマークを記録するときのｋ番目（１≦ｋ≦ｍ）のパルスのパルス幅（時間）をＴ（ｎ１，ｋ）、長さｎ２Ｔｗのマークを記録するときのｋ番目のパルスのパルス幅（時間）をＴ（ｎ２，ｋ）とするとき、１パルス当りで積分された照射エネルギーを、
Ｐ（ｎ１，ｍ）×Ｔ（ｎ１，ｍ）＞Ｐ（ｎ１，ｋ）×Ｔ（ｎ１，ｋ）で且つ、
Ｐ（ｎ２，ｍ）×Ｔ（ｎ２，ｍ）＞Ｐ（ｎ２，ｋ）×Ｔ（ｎ２，ｋ）
とする（但しｋ≦ｍ−１）ことを特徴とする請求項１記載の光情報記録媒体への記録方法。
３）  時間的長さｎ１Ｔｗのマークを記録するときのｍ番目のパルスを除く全てのパルスの照射パワーを同一とする、即ち、ｋ≦ｍ−１番目のパルスに対して照射パワーを、Ｐ（ｎ１，ｋ）＝Ｐ（ｎ２，ｋ）＝Ｐ（ｎ２，ｍ）＝Ｐｗとすることを特徴とする１）又は２）記載の記録方法。
４）  時間的長さｎ１Ｔｗのマークを記録するときのｍ番目のパルス照射パワーＰ（ｎ１，ｍ）が、下記の関係を満たすことを特徴とする３）記載の記録方法。
０＜〔Ｐ（ｎ１，ｍ）−Ｐｗ〕／Ｐｗ≦０．１
５）  時間的長さｎ１Ｔｗのマークを記録するときのｋ番目の照射パルス幅をＴ（ｎ１，ｋ）、時間的長さｎ２Ｔｗのマークを記録するときの照射パルス幅をＴ（ｎ２，ｋ）とするとき、Ｔ（ｎ１，ｍ）＜Ｔ（ｎ２，ｍ）とすることを特徴とする１）〜４）の何れかに記載の記録方法。
６）  時間的長さｎ１Ｔｗのマークを記録するときのｍ番目のパルス以外の照射パルス幅を同一とする、即ち、ｋ≦ｍ−１番目のパルスに対してパルス幅を、Ｔ（ｎ１，ｋ）＝Ｔ（ｎ１，ｍ）＝Ｔ（ｎ２，ｋ）＝Ｔｍｐとすることを特徴とする５）記載の記録方法。
７）  時間的長さｎＴｗ（ｎは自然数）のマークを記録するときに照射するパルス数をｍ（ｍは２以上の自然数）として、ｎが偶数のときｎ＝２ｍであり、ｎが奇数のときｎ＝２ｍ＋１であることを特徴とする３）〜６）の何れかに記載の記録方法。
８）  １）〜７）の何れかに記載の記録方法を用いて記録を行う場合の、〔Ｐ（ｎ１，ｍ）−Ｐｗ〕／Ｐｗの値又はこの値を一義的に特定できる情報がプリフォーマットされていることを特徴とする光情報記録媒体。